(57)【要約】【課題】照度を自由に設定可能な、有機電界発光素子を用いた新規な構成の照明装置を提供する。【解決手段】透明基板１１０上に第一の有機電界発光素子１１１が形成された第一の有機電界発光デバイス１１の光取出側（Ｈ１０方向）に、透明基板１２０、１３０上にそれぞれ第二の有機電界発光素子１２１、１３１が形成された第二の有機電界発光デバイス１２、１３が配置され、第二の有機電界発光素子１２１、１３１が透明である。この照明装置１０の外部は筐体１４で覆われ、最も光取出側に設けられた有機ＥＬデバイス１３から出射された光が照明装置１０外部へ出射される。筐体１４内部は光反射部材が設けられている。【選択図】図１
2005190768.tif 000002
【特許請求の範囲】
【請求項１】
基板上に第一の有機電界発光素子が形成された第一の有機電界発光デバイスの光取出側に、透明基板上に第二の有機電界発光素子が形成された一又は複数の第二の有機電界発光デバイスが配置され、第二の有機電界発光素子が透明である照明装置。
【請求項２】
請求項１記載の照明装置であって、
第一の有機電界発光デバイス及び第二の有機電界発光デバイスは、それぞれ概略同一の波長の光を少なくとも発する照明装置。
【請求項３】
請求項１又は２に記載の照明装置であって、
前記装置は、さらに、当該装置外部を覆う筐体が設けられており、
前記筐体は、最も光取出側に設けられた第二の有機電界発光デバイスから出射された光を筐体外部へ出射する機構を備えた照明装置。
【請求項４】
請求項３に記載の照明装置であって、
前記装置は、さらに、前記筐体よりも内側に光反射手段を備えている照明装置。
【請求項５】
請求項３又は４に記載の照明装置であって、
前記装置は、さらに、前記筐体よりも内側に光散乱手段を備えている照明装置。
【請求項６】
請求項１から６のいずれか一項に記載の照明装置であって、
第二の有機電界発光デバイスは、前記透明基板の面積が、光取出側とは反対側に設けられた有機電界発光デバイスの基板及び／又は透明基板の面積よりも広い照明装置。
【請求項７】
請求項１から７のいずれか一項に記載の照明装置であって、
第二の有機電界発光デバイスは、透明基板における有機電界発光素子と接する面の面積が、光取出側とは反対側に設けられた有機電界発光デバイスにおける基板及び／又は透明基板の有機電界発光素子と接する面の面積よりも広い照明装置。
【請求項８】
請求項１から８のいずれか一項に記載の照明装置であって、
複数の有機電界発光デバイスにおける基板及び／又は透明基板が有機電界発光素子と接する面の法線はそれぞれ概略平行である照明装置。
【請求項９】
請求項１から９のいずれか一項に記載の照明装置であって、
第一の有機電界発光デバイスは、第一の有機電界発光素子における発光部位の光取出側とは反対側に光反射層が設けられた照明装置。
【発明の詳細な説明】
【技術分野】
【０００１】
本発明は、有機電界発光素子を用いた照明装置に関する。
【背景技術】
【０００２】
有機電界発光素子を用いた照明装置は、当該装置の照度を高くする、すなわち当該装置から出射される光の量を多くすることが求められている。しかし、有機電界発光素子を用いた照明装置から発する光の量を多くするには、当該素子に含有される材料の開発、材料の組み合わせの追求、素子構造の最適化等を行う必要がある。したがって、要求される量の光を発する照明装置の開発は極めて困難である（例えば、非特許文献１を参照。）。
【非特許文献１】「ＦＰＤ  ｉｎｔｅｒｎａｔｉｏｎａｌ  ２００３  バックライトコーナーレビュー」、ｐ．２１、図４、日経ＢＰ社
【発明の開示】
【発明が解決しようとする課題】
【０００３】
本発明は、上記要求に鑑みなされたものであり、照度を自由に設定可能な、有機電界発光素子を用いた新規な構成の照明装置を提供することをその課題とする。
【課題を解決するための手段】
【０００４】
上記課題を解決するために、本発明に係る照明装置は、基板上に第一の有機電界発光素子が形成された第一の有機電界発光デバイスの光取出側（光出射側）に一つ又は複数の第二の有機電界発光デバイスが配置されている。第二の有機電界発光デバイスは、透明基板上に第二の有機電界発光素子が形成されたデバイスである。そして、第二の有機電界発光素子は透明とされている。
【０００５】
なお、本明細書において「透明」な構成要素は、光取出側とは反対側（光入射側）から入射された光に対する透過性を有していればよい。また、入射された光のすべての波長に対して透過性を有していてもよく、一部の波長に対してのみ透過性を有していてもよい。さらに、波長ごとに透過率が異なっていてもよい。
【０００６】
また、本明細書においては、第二の有機電界発光デバイスとは、第一の有機電界発光デバイス以外の有機電界発光デバイスのことを指す。すなわち、複数の第二の有機電界発光デバイスを採用する場合、各第二の有機電界発光デバイスは、他の第二の有機電界発光デバイスとは構成等が異なっていてもよい。当然、概略同一の構成等であっても構わない。
第一の有機電界発光素子と、一つ又は複数の第二の有機電界発光素子とは、概略同一の構成等であっても構わない。
つまり、本明細書における「第一」「第二」の語は、照明装置における位置的関係を区分けするために用いている。
【０００７】
上記照明装置において、第一の有機電界発光デバイス及び第二の有機電界発光デバイスは、それぞれ概略同一の波長の光を少なくとも発するようにしてもよい。
【０００８】
また、装置外部に、装置を覆う筐体を設けてもよい。この筐体は、最も光取出側に設けられた第二の有機電界発光デバイスから出射された光を筐体外部へ出射する機構を備えている。
【０００９】
なお、本明細書において「発せられた」光とは、有機電界発光デバイスの有機電界発光素子に電圧が印加されて発せられた光を言う。「出射された」光とは、有機電界発光デバイスから「発せられた」光のみならず、他の有機電界発光デバイスから入射され、光取出側へ透過する光も含む。
【００１０】
筐体の内側には、すなわち装置内部には、光反射手段を設けてもよい。例えば、第一の有機電界発光デバイスの第一の有機電界発光素子における、発光部位（一般には発光層）よりも光取出側とは反対側に光反射層を設けてもよい。
また、筐体の内側には光散乱手段を設けてもよい。
【００１１】
第二の有機電界発光デバイスは、前記透明基板の面積が、光取出側とは反対側（光入射側）に設けられた有機電界発光デバイスの各基板（「基板」には透明基板も含む。以下同じ。）の面積よりも広くなるようにしてもよい。
また、第二の有機電界発光デバイスは、透明基板における有機電界発光素子と接する面（発光領域）の面積が、光取出側とは反対側に設けられた有機電界発光デバイスにおける基板の有機電界発光素子と接する面の面積よりも広くなるようにしてもよい。
【００１２】
上記照明装置は、複数の有機電界発光デバイスにおける基板が有機電界発光素子と接する面の法線がそれぞれ概略平行とするとよい。
【発明の効果】
【００１３】
本発明によれば、照度を自由に設定可能な、有機電界発光素子を用いた新規な構成の照明装置を提供することができる。
【発明を実施するための最良の形態】
【００１４】
以下、本発明の実施の形態に係る照明装置について、図面を参照しながら詳細に説明する。なお、各図において、同一若しくは類似の構成要素については同一の符号を付した。また、各図は、実際の照明装置における寸法（比）とは異なる模式図である。
まず、本発明の実施の形態に係る第一の照明装置について説明する。
【００１５】
《第一の照明装置》
図１に、第一の照明装置１０の断面構成を示す断面模式図を示す。図１に示すように、第一の照明装置１０は、第一の有機エレクトロルミネッセンスデバイスとしての有機エレクトロルミネッセンスデバイス（以下、適宜「有機ＥＬデバイス」と表記する。）１１を備え、有機ＥＬデバイス１１の光取出側に、第二の有機エレクトロルミネッセンスデバイスとしての有機ＥＬデバイス１２及び有機ＥＬデバイス１３を備える。また、第一の照明装置１０は、その外部を覆う筐体１４を備える。
【００１６】
有機ＥＬデバイス１１は、透明基板１１０の一方の面に有機エレクトロルミネッセンス素子（以下、適宜「有機ＥＬ素子」と表記する。）１１１が設けられたボトムエミッション型のデバイスである。
有機ＥＬデバイス１２は、透明基板１２０の一方の面に有機ＥＬ素子１２１が設けられたボトムエミッション型のデバイスであり、有機ＥＬデバイス１１の光取出側に配置されている。
有機ＥＬデバイス１３は、透明基板１３０の一方の面に有機ＥＬ素子１３１が設けられたボトムエミッション型のデバイスであり、有機ＥＬデバイス１１及び有機ＥＬデバイス１２の光取出側に設けられる。
【００１７】
図１における矢印Ｈ１１は、有機ＥＬデバイス１１における透明基板１１０が有機ＥＬ素子１１１と接する面（以下、適宜「ＥＬ面」と表記する。）の法線であり、矢印が示す方向は、有機ＥＬデバイス１１の光が発せられる方向を示す。有機ＥＬデバイス１１は、矢印Ｈ１１以外の方向にも光を発するが（有機ＥＬ素子１１１は一般に等方向光出射特性を有するが）、照明装置１０として利用される光は、主として矢印Ｈ１１方向の光並びにこの矢印を中心として一定の角度範囲内の方向へ発せられる光である。以下、矢印で示す方向を、有機ＥＬデバイスの光出射方向（正面方向）と適宜記載する。
図１における矢印Ｈ１２及びＨ１３は、それぞれ、有機ＥＬデバイス１２、１３の光出射方向を示す。
【００１８】
有機ＥＬデバイス１１、１２及び１３は、それぞれ、電圧が印加されることで、有機ＥＬ素子１１１、１２１及び１３１から光が発せられる。
なお、有機ＥＬデバイス１１、１２及び１３（有機ＥＬ素子１１１、１２１及び１３１）は、それぞれ別個の駆動回路と接続していてもよく、同一の駆動回路と接続していてもよい。また、互いに並列に接続されていてもよく、直列に接続されていてもよい。さらに、上記三つの有機ＥＬデバイスの内の二つが同一の駆動回路に接続されていたり、互いに並列に接続されていたり、互いに直列に接続されていたりしてもよい。
【００１９】
筐体１４は、装置外部を覆い、最も光取出側に設けられた第二の有機ＥＬデバイスである有機ＥＬデバイス１３から出射された光を装置外部へ取り出すための機構である窓部１４１を備える。窓部１４１は、有機ＥＬデバイス１３から「出射された」光を取り出す機構であるため、有機ＥＬデバイス１３の有機ＥＬ素子１３１から「発せられた」光のみならず、好ましくは、有機ＥＬデバイス１１や１２から「発せられた」光も透過できる位置に設けられる。例えば図１に示すように、各透明基板１１０、１２０及び１３０のＥＬ面を互いに平行に設定し、各有機ＥＬデバイス１１、１２及び１３の光出射方向が平行になるようにし、この光出射方向に窓部１４１を設ければよい。
【００２０】
なお、窓部１４１は、有機ＥＬデバイス１３から出射された光を装置外部へ通過できればよいため、この光に対して透明な部材によって構成されていればよい。また、窓部１４１には、実質的に部材が設けられていなくてもよい。すなわち、有機ＥＬデバイス１３の一部（図１の構成では例えば透明基板１３１）又は全部が外部に露出していてもよい。さらには、他の有機ＥＬデバイスの一部又は全部が外部に露出するようにしてもよい。
【００２１】
筐体１４は、好ましくは、各有機ＥＬデバイスを、照明装置１０における所定の位置に固定する機構（固定機構）を備えているとよい。固定機構としては、公知の部材固定機構を適宜採用でき、筐体の内側に、例えば各有機ＥＬデバイスの透明基板の一部又は全部（好ましくは端部等）を挟み込んだりするなどして有機ＥＬデバイスを照明装置１０における所定の位置に固定するようにしてもよい。また、筐体１４の内側若しくは内側に設けられた接続部に、接着剤等を用いるなどして固定してもよい。筐体１４中に、緩衝部材（例えば発泡スチロールやプラスチック等の部材）などで形成され、各有機ＥＬデバイスを配置できるように型取りされた部材を設け、この型にあわせて有機ＥＬデバイスを配置してもよい。
次に、照明装置１０の作用について説明する。
【００２２】
〈作用〉
照明装置１０は、有機ＥＬ素子１１１、１２１及び１３１にそれぞれ電圧が印加されて、各素子から光が発せられる。このようにして発せられた光は、それぞれ、図１に矢印で示す法線Ｈ１１、Ｈ１２及びＨ１を中心（基準、正面方向）として、所定の角度範囲内に発せられた光が照明装置１０外部へ出射される。
【００２３】
第一の有機ＥＬデバイスの有機ＥＬ素子である有機ＥＬ素子１１１から発せられた光は、矢印Ｈ１１に示すように、第二の有機ＥＬデバイスである有機ＥＬデバイス１２及び有機ＥＬデバイス１３を介し、窓部１４１から照明装置１０外部へ出る。
有機ＥＬ素子１２１から発せられた光は、矢印Ｈ１２に示すように、光取出側に設けられた他の第二の有機ＥＬデバイスである有機ＥＬデバイス１３を介し、窓部１４１から照明装置１０外部へ出る。
最も光取出側に設けられた第二の有機ＥＬデバイスの有機ＥＬ素子である有機ＥＬ素子１３１から発せられた光は、矢印Ｈ１３に示すように、他の有機ＥＬデバイスを介さず、窓部１４１から照明装置１０外部へ出る。
次いで、照明装置１０が奏することができる効果について説明する。
【００２４】
〈効果〉
（効果１：照度を自由に設定することが可能となる）
照明装置１０は、照度の調整が、一つの有機ＥＬデバイスで構成された照明装置と比べて容易であり、また、一つの有機ＥＬデバイスで構成された照明装置では実現できない照度を実現することができる。
【００２５】
有機ＥＬ素子は、照明装置に求められる輝度（照度）の光を発するためには、前記したように、有機発光材料等の選定や新規材料の開発などが必要となることもある。
また、所定の輝度の光を出すために一定以上の電圧を印加したり電流を流したりすることで上記照度で照明できる照明装置を実現しようとすると、Ｔ−Ｔアニヒレーション現象やＳ−Ｓアニヒレーション現象などが顕著となり、出射する波長が想定していた波長とは変わってしまったりする。さらに、素子寿命が短くなってしまったり、一般に欠陥が生じやすくなってしまったりすることもある。
したがって、従来の照明装置では、求められる照度を実現することが極めて困難であった。別言すると、従来の照明装置は、実用的に得ることができる照度が限定されていた。
【００２６】
これに対して、照明装置１０は、実施化の時点で実質的に使用可能な有機ＥＬデバイスによって作製することができる。これは、第二の有機ＥＬデバイスである有機ＥＬデバイス１２及び１３が、それぞれ透明な基板及び透明な有機ＥＬ素子で構成されており、これらを図１に示すように組み合わせているからである。また、図１の構成では求められている照度を実現できない場合には、さらに第二有機ＥＬデバイスを組み合わせることで実現することができるからである。
したがって、照明装置１０は、各有機ＥＬ素子を、素子寿命が短くなるといった問題が生じない範囲で使用することができる。
なお、本実施の形態に係る照明装置は、図１に示す構成に限定されるものではなく、第二の有機ＥＬデバイスを他の数にすることができるのは当然である。
【００２７】
また、従来の照明装置では、実現できない照度を実現できる。
従来は、求められている輝度を発することのできる有機ＥＬデバイスが実在しない場合には、新規な有機発光材料等を開発したり、新規な素子構造を開発したりするなどしなければならなかった。
これに対して、照明装置１０は、求められている照度を実現するためには、第二の有機ＥＬデバイスの数を変更するだけでよい。これは、有機ＥＬデバイスが、透明基板及び透明な有機ＥＬ素子で構成されているため、すべての有機ＥＬデバイスから発せられた光を窓部１４１から装置外部へ出射できるからである。
【００２８】
このように、照明装置１０は、第二の有機ＥＬデバイスの数の増減を調整することで、その照度を自由に設定することができる。また、一つの有機ＥＬデバイスを用いた従来の照明装置では実現できなかった照度も実現できる。
【００２９】
（効果２：種々の色を表現できる）
照明装置１０は、各有機ＥＬデバイスは、他の少なくとも一つの有機ＥＬデバイスと、発する色の色度が異なるようにすることで、一つの有機ＥＬデバイスのみを用いた照明装置では表現することの難しい色を表現することができる。
例えば、有機ＥＬデバイス１１から赤色の光を発するようにし、有機ＥＬデバイス１２から緑色の光を発するようにし、有機ＥＬデバイス１３から青色の光を発するようにし、各デバイスから発せられる光の量を調整すれば、窓部１４１から照明装置１０外部へ出射される光の色を白色にすることができる。
当然、他の色を表現することもできる。また、各有機ＥＬデバイスが同一の色の光を発するようにしてもよい。
【００３０】
（効果３：使用不能になりにくい、修理が容易）
照明装置１０は、一つ若しくは複数の有機ＥＬデバイスが壊れるなどしても、実質的に照明装置として機能することができる。
例えば、一つ若しくは複数の有機ＥＬデバイスが光を発しなくなってしまったとしても、他の有機ＥＬデバイスが光を発することができれば、照明装置として実質的に機能することができる。また、光を発しなくなってしまった有機ＥＬデバイスのみを交換すれば、照明装置１０の初期性能と同等の性能（照度等）を得ることが可能となる。つまり、一つの有機ＥＬデバイスで構成された照明装置と比較して、照明装置１０の全部品を交換したり、全部品を修理したりする必要がなくなる可能性が高い。
【００３１】
（効果４：一つの有機ＥＬデバイスで構成された照明装置には採用できないデバイスも採用できる）
照明装置１０は、最も光取出側に設けられた第二の有機ＥＬデバイスである有機ＥＬデバイス１３から「出射された」光により照明を行うため、一つ又は複数の有機ＥＬデバイスに輝度ムラやダークスポットなどの欠陥が生じていても／生じてしまっても、欠陥品となる可能性が少ない。
一つの有機ＥＬデバイスで構成された照明装置は、輝度ムラがあったりダークスポットが生じていたりすると、製品として使用することは困難である。したがって、歩留まりを高くすることは難しい。
しかし、照明装置１０は、有機ＥＬデバイス１１、１２及び１３から発せられた光をあわせて出射することになるため、有機ＥＬデバイス１１、１２及び／又は１３に輝度ムラやダークスポット等の欠陥があったとしても、他のデバイスから発せられた光によって、その欠陥部分を補うことが可能となる。すなわち、窓部１４１を基準（基準面）とした場合の各部分は、三つの有機ＥＬデバイスから発せられた光の合成光が出射されるため、各デバイスの欠陥等も平均化される。したがって、一つの有機ＥＬデバイスで構成された照明装置と比べて、製造精度の低い有機ＥＬデバイスであっても使用することが可能となり、また、使用中に有機ＥＬデバイスに欠陥が生じてしまったとしても実質的に使用不能となってしまうことが少なくできる。
【００３２】
（効果５：有機ＥＬデバイス１１〜１３を、それぞれ同一構成のデバイスとすることができる）
有機ＥＬデバイス１１、１２及び１３は、それぞれ概略同一構成のデバイスを用いることができる。つまり、同一工程で作成した有機ＥＬデバイスを前記したように並べれば、この有機ＥＬデバイス一つで作成した照明装置よりも照度を高くすることができる。
次に、照明装置１０の変形例について説明する。
【００３３】
〈変形例〉
照明装置１０は、以下に示すように構成を適宜変更することができる。また、以下の変形例を、互いに矛盾しない範囲内で適宜組み合わせて採用することができる。
【００３４】
（変形例１：筐体１４の内側に光反射性能を有する部材を設ける）
例えば、鏡面１４の内側に光反射性能を有する部材（光反射手段）を設けるとよい。これにより、有機ＥＬデバイスから窓部１４１方向へ向かわなかった光の一部又は全部を、窓部１４１へ進ませ、窓部１４１から照明装置１０外部へ出射させることが可能となる。したがって、光反射手段を設けない構成と比べて、照明装置１０外部へ出射される光の量を多くする（光取出効率を高くする）ことが可能となる。
【００３５】
光反射手段は、公知の手段を採用すればよく、これを筐体１４内に配置すればよい。
例えば、筐体１４の内側の一部又は全面を鏡面としてもよい。このように鏡面とするには、筐体１４とされた際に光反射性能を有する材料によって筐体１４を構成したり、光反射性能を有する金属や樹脂などの部材を筐体１４の内側に貼り合わせたり蒸着させたりするなどすればよい。
【００３６】
また、筐体１４とは別個に、上記したような部材による光反射手段を設けてもよい。例えば、上記部材固定機構に設けてもよく、有機ＥＬデバイスにおける有機ＥＬ素子から出射された光を遮らない位置に設けてもよい。
【００３７】
なお、図２に示すように、光反射手段１５を、窓部１４１からの距離が遠くなるごとに、窓部１４１が存在する平面と概略平行な平面における面積が小さくなる形状にすれば、各有機ＥＬデバイスから発せられた光を照明装置１０外部に出射させたり、所定の位置（焦点）に集光させたりすることが可能となる。このような形状としては、図２（ａ）に示すように放物面としてもよく、（ｂ）に示すような窓部１４１側を底面とする錐台（円錐台や角錐台）状にしてもよい。窓部側を底面とする錐（円錐や角錐）としてもよい。
【００３８】
（変形例２：散乱部材を設ける）
照明装置１０に散乱部材（散乱手段）を設けてもよい。これにより、有機ＥＬデバイスから窓部１４１方向へ向かわなかった光の一部又は全部を、窓部１４１へ進ませ、窓部１４１から照明装置１０外部へ出射させることが可能となる。したがって、散乱部材は、好ましくは第一の有機ＥＬデバイスである有機ＥＬデバイス１１（特に有機ＥＬ素子１１１）と窓部１４１とで規定される空間外に設けられる。
【００３９】
散乱部材としては、公知の散乱部材を適宜採用することができる。例えば、筐体１４内の空間と屈折率の異なる樹脂を、筐体１４中に設けることでも実現できる。前記した光反射手段の光反射部（鏡面）に、光を散乱させる程度の大きさの凹凸を多数設けることでも実現できる。
【００４０】
なお、窓部１４１を光散乱手段である散乱シート等で構成してもよい。これにより、照明装置１０から出射された光を拡散することができる。
【００４１】
（変形例３：有機ＥＬデバイスの一つ若しくは複数を、他のデバイスとは別個に点灯／非点灯制御できるようにする）
有機ＥＬデバイスのうちの一つ若しくは複数を、他のデバイスとは別個に点灯／非点灯できるようにすれば、照明装置１０から出射される光の量を調整することが可能となる。なお、各有機ＥＬデバイスの点灯／非点灯をそれぞれ制御できるようにしてもよい。また、一つ若しくは複数の有機ＥＬデバイスに印加する電圧の大きさを調整できるようにしてもよい。
【００４２】
以上のような制御を行うには、この制御が行われる有機ＥＬデバイスに、他の有機ＥＬデバイスとは別個のスイッチを設けたり、印加電圧を制御する回路を別個に設けたりするなど、駆動回路を別個にすれば実現できる。また、照明装置１０外部の明るさを測定するセンサと、装置外部の明るさに応じた光の量を出射するように上記スイッチや印加電圧を制御する回路等を制御するＭＰＵ等とをさらに設ければ、照明装置１０は、当該装置のおかれた状況において適当な量の光を出射することが可能となる。当然、ユーザや図示しない他の装置（例えば照明装置１０の全面に配置された液晶表示装置等）からの指示に基づいた量の光を出射する制御部を設け、この制御部が上記スイッチや回路等を制御してもよい。
【００４３】
（変形例４：有機ＥＬデバイス間の屈折率を調整する）
有機ＥＬデバイス間の屈折率を、両者の相対する面を構成する層の各屈折率の間の値になるようにすれば、光取出側とは反対側の有機ＥＬデバイスから発せられた光の、光取出側にある有機ＥＬデバイスへ入射する割合を高くすることができる。例えば、両有機ＥＬデバイスを接着剤等によって接着し、この接着剤の固化時の屈折率を上記値にしたり、両有機ＥＬデバイスの間に光学オイルを満たし、この光学オイルの屈折率を上記値にしたりすればよい。なお、光学オイルにより有機ＥＬデバイス同士を密着させる際には、オイルが両者間から流れ出さないように、密着させた部分の端部に樹脂等を設けるとよい。
【００４４】
なお、照明装置１０は、図１に示す構成に限定されるものではなく、各有機ＥＬデバイスが互いに接していてもよいことは当然である。
【００４５】
（変形例５：窓部１４１に種々の機能を持たせる）
窓部１４１は、前記したように実質的に何も設けなくてもよく、ガラス等を設けてもよいが、前記したように散乱シート等にするなど、何らかの機能を持たせることもできる。
例えば、窓部１４１を有機ＥＬ素子に通常用いられる封止部材によって設ければ、各有機ＥＬデバイスは、それぞれ封止する必要がなくなる。また、それぞれの有機ＥＬデバイスに封止部材を設ける場合と比較して、光が通過する層の数を少なくできるため、窓部１４１から照明装置１０外部へ出射できる光の量をより多くすることも可能となる。
【００４６】
封止部材としては、例えばパッシベーション膜や封止缶などに用いられる材料が挙げられる。これらの材料を用いて封止部材を作製すれば、照明装置１０内部に水分やガス、その他有機ＥＬデバイスに影響のある外因の侵入を防止することができる。
【００４７】
封止部材として用いることができる材料の内、有機高分子材料の例としては、クロロトリフルオロエチレン重合体、ジクロロジフルオロエチレン重合体、クロロトリフルオロエチレン重合体とジクロロジフルオロエチレン重合体との共重合体等のフッ素系樹脂、ポリメチルメタクリレ−ト、ポリアクリレ−ト等のアクリル系樹脂、エポキシ樹脂、シリコン樹脂、エポキシシリコ−ン樹脂、ポリスチレン樹脂、ポリエステル樹脂、ポリカ−ボネ−ト樹脂、ポリアミド樹脂、ポリイミド樹脂、ポリアミドイミド樹脂、ポリパラキシレン樹脂、ポリエチレン樹脂、ポリフェニレンオキサイド樹脂などを挙げることができる。
【００４８】
封止部材として用いることができる材料の内、無機材料としては、ポリシラザン、ダイヤモンド薄膜、アモルファスシリカ、電気絶縁性ガラス、金属酸化物、金属窒化物、金属炭素化物、金属硫化物などを挙げることができる。
【００４９】
また、ガラス、ステンレススチ−ル、金属（アルミニウム等）、プラスチック（ポリクロロトリフルオロエチレン、ポリエステル、ポリカ−ボネ−ト等）、セラミック等も適宜採用できる。
【００５０】
なお、照明装置１０内に水分吸収剤を挿入してもよい。これにより、万が一侵入した水分を吸収することができる。水分吸収剤は特に限定されず、具体例としては酸化バリウム、酸化ナトリウム、酸化カリウム、酸化カルシウム、硫酸ナトリウム、硫酸カルシウム、硫酸マグネシウム、五酸化リン、塩化カルシウム、塩化マグネシウム、塩化銅、フッ化セシウム、フッ化ニオブ、臭化カルシウム、臭化バナジウム、モレキュラ−シ−ブ、ゼオライト、酸化マグネシウム等が挙げられる。
【００５１】
また、照明装置１０内に、有機ＥＬデバイスにとって不活性なガスを封入してもよい。不活性なガスとは、有機ＥＬ素子と反応しないガスのことをいい、例えばヘリウム、アルゴン等の希ガスや窒素ガスを採用することができる。
【００５２】
また、窓部１４１をプリズムシートとして、光集光機能を設ければ、特定方向へ出射される光の量を多くすることが可能になる。プリズムシートとしては、公知の有機ＥＬデバイスや液晶表示装置等に採用されるプリズムシートを採用できる。また、その他の光学部材も適宜採用することができる。
【００５３】
以上のように窓部１４１に部材を設ける場合には、窓部１４１と部材との間に、適宜封止剤（接着剤）を塗布等して両者を接着すればよい。また、封止剤を用いずに両者を熱融着などによって接着してもよい。封止剤としては紫外線硬化樹脂、熱硬化樹脂、二液型硬化樹脂等が使用可能である。
【００５４】
なお、図１の例では、筐体１４の端部を結ぶ面を窓部１４１としているが、窓部１４１の位置はこれに限定されるものではなく、少なくとも最も光取出側に設けられた第二の有機ＥＬデバイス（有機ＥＬデバイス１３）における光が出射される面（光取出面）、若しくは、当該面よりも光取出側に適宜設定できる。
【００５５】
（変形例６：照明装置１０から出射される光の波長を限定したり、波長を変更したりする部材を設ける）
照明装置１０から出射される光の波長を限定したり、波長を変更したりする色変換部材を設けてもよい。また、一又は複数の有機ＥＬデバイスに、色変換部材を設けてもよい。
色変換部材としては、出射される光の波長を限定するカラーフィルタや、入射された光の波長を低波長にずらす波長変換部材等の公知の部材を用いることができる。
色変換部材は、例えば窓部１４１に設けてもよく、また、有機ＥＬデバイスの透明基板や有機ＥＬ素子に設けてもよい。
【００５６】
カラーフィルタは、透過する波長を限定することで発光色を調整する。カラーフィルタとしては、例えば青色のフィルターとしては酸化コバルト、緑色のフィルターとしては酸化コバルトと酸化クロムの混合系、赤色のフィルターとしては酸化鉄などの公知の材料を用い、例えば真空蒸着法などの公知の薄膜成膜法を用いて透明基板上に形成してもよい。
【００５７】
波長変換部材は、公知の波長変換材料を用いることができ、例えば、発光層から発せられた光を他の低エネルギー波長の光に変換する蛍光変換物質を採用することができる。蛍光変換物質の種類は目的とする有機ＥＬ装置から出射させようとする光の波長と発光層から発せられる光の波長とに応じて適宜選択される。また、蛍光変換物質の使用量は濃度消光を起さない範囲内でその種類に応じて適宜選択可能であるが、透明樹脂（未硬化のもの）に対して１０−５〜１０−４モル／リットル程度が適当である。蛍光変換物質は１種のみを用いてもよいし、複数種を併用してもよい。複数種を併用する場合には、その組み合わせにより青色光、緑色光および赤色光以外に、白色光や中間色の光を放出することができる。蛍光変換物質の具体例としては、下記（ａ）〜（ｃ）に示す物質が挙げられる。
【００５８】
（ａ）紫外光によって励起されて青色光を放出するもの
１，４−ビス（２−メチルスチリン）ベンゼン，トランス−４，４′−ジフェニルスチルベン等のスチルベン系色素、７−ヒドロキシ−４−メチルクマリン等のクマリン系色素、４，４′−ビス（２，２−ジフェニルビニル）ビフェニル等の芳香族ジメチリディン系色素。
【００５９】
（ｂ）青色光によって励起されて緑色光を放出するもの
２，３，５，６−１Ｈ，４Ｈ−テトラヒドロ−８−トリフロルメチルキノリジノ（９，９ａ，１−ｇｈ）クマリン（クマリン１５３）等のクマリン色素等。
【００６０】
（ｃ）青色から緑色にかけての波長の光によって励起されて橙色から赤色にかけての波長の光を放出するもの
４−（ジシアノメチレン）−２−メチル−６−（ｐ−ジメチルアミノスチリルリル）−４Ｈ−ピラン，４−（ジシアノメチレン）−２−フェニル−６−（２−（９−ユロリジル）エテニル）−４Ｈ−ピラン，４−（ジシアノメチレン）−２，６−ジ（２−（９−ユロリジル）エテニル）−４Ｈ−ピラン，４−（ジシアノメチレン）−２−メチル−６−（２−（９−ユロリジル）エテニル）−４Ｈ−ピラン，４−（ジシアノメチレン）−２−メチル−６−（２−（９−ユロリジル）エテニル）−４Ｈ−チオピラン等のシアニン系色素、１−エチル−２−（４−（ｐ−ジメチルアミノフェニル）−１，３−ブタジエニル）−ピリジウム−パーコラレイト（ピリジン１）等のピリジン系色素、ローダミンＢ，ローダミン６Ｇ等のキサンチン系色素、オキサジン系色素等。
【００６１】
（変形例７：一又は複数の有機ＥＬデバイスを複数の有機ＥＬデバイスで構成する）
すなわち、有機ＥＬデバイスは、一つの有機ＥＬデバイスによって構成されていてもよく、複数の有機ＥＬデバイスが並べられて構成されていてもよい。例えば図３に示すように、有機ＥＬデバイス１１の代わりに、有機ＥＬデバイス１１ａ及び有機ＥＬデバイス１１ｂを配置して第一の有機ＥＬデバイス１１を構成してもよい。このような構成を採用すれば、有機ＥＬ素子の面積の小さな有機ＥＬデバイスによって照明装置を構成することができたり、発光領域の極めて広い照明装置を構成することができたりする。
【００６２】
（変形例８：一又は複数の有機ＥＬデバイスをトップエミッション型にする）
一又は複数の有機ＥＬデバイスをトップエミッション型にすることも当然に可能である。なお、第一の有機ＥＬデバイスである有機ＥＬデバイス１１や、最も光取出側に存する第二の有機ＥＬデバイスである有機ＥＬデバイス１３をトップエミッション型とすれば、これらのデバイスから発せられた光が通過する透明基板の数をそれぞれ一枚減らすことが可能となり、照明装置１０から発せられる光の量をより多くすることも可能となる。
【００６３】
（変形例９：有機ＥＬデバイスのＥＬ面を、少なくとも他の一の有機ＥＬデバイスにおけるＥＬ面とは非平行とする）
有機ＥＬデバイスのＥＬ面を、少なくとも他の一の有機ＥＬデバイスにおけるＥＬ面とは非平行とすれば、照明装置１０が照射する範囲を広くすることができる。
例えば図４に示すように、有機ＥＬデバイス１１、１２及び１３のＥＬ面をそれぞれ非平行とすれば、図１に示す照明装置よりもより広い範囲を照明することが可能になる。
【００６４】
（変形例１０：筐体を設けない構成）
筐体１４は設けなくてもよい。例えば、有機ＥＬデバイス同士を互いに接着剤等で接着してもよい。また、筐体１４のように、各有機ＥＬデバイスを覆う筐体ではなく、各有機ＥＬデバイスを所定の位置に固定する固定機構としての筐体にしてもよい。
【００６５】
（変形例１１：一又は複数の有機ＥＬデバイスにおいて基板を設けない構成）
一又は複数の有機ＥＬデバイスにおいて基板を設けなくてもよい。この構成を採用することにより、基板を設けられていないデバイスを透過する光は、基板による減衰の影響を受けなくなる。
なお、基板を設けない有機ＥＬデバイスを作製するには、製造過程における基板上に、有機ＥＬ素子を剥離可能とするようにして成膜し、有機ＥＬ素子成膜後にこれを上記基板から剥離することでも作製できる。この場合、有機ＥＬ素子と基板とは、揮発性の接着剤等によって接着し、有機ＥＬ素子を剥離する際に接着剤を揮発させればよい。また、接着力の弱い接着剤を採用してもよい。さらに、基板上に有機ＥＬ素子を製造後、基板を削剥してもよい。例えば、基板の有機ＥＬ素子が設けられていない面側から、サンドブラスト法やドライエッチング法、ウェットエッチング法などの公知の有機ＥＬデバイスから基板を削剥する方法を用いればよい。
【００６６】
また、上記基板削剥法を用い、基板の厚みを薄くしてもよい。これにより、有機ＥＬデバイスの厚みを薄くでき、ひいては照明装置１０の厚みを薄くすることが可能になる。
この変形例を採用する場合には、有機ＥＬデバイスにおける基板の厚さは、使用時に要求される有機ＥＬデバイスの耐久性を実現できるだけの厚みにすればよい。この構成を採用可能なのは、製造時に要求される基板の厚みと、使用時要求される基板の厚みとが異なる（後者の方が薄くても構わない）ことによる。
次に、照明装置１０の各構成要素の構成例や製造例等について、それぞれ詳細に説明する。
【００６７】
〈構成要素の詳細〉
（透明基板１１０、１２０、１３０）
透明基板１１０、１２０及び１３０は、それぞれ、有機ＥＬ素子１１１、１２１及び１３１を支える、主として板状の透明な部材である。
透明基板は、有機ＥＬ素子が積層される部材であるため、少なくともＥＬ面は、平面平滑性を有していることが好ましい。
【００６８】
透明基板としては、上記した性能を有していれば公知のものを用いることができる。一般には、ガラス基板やシリコン基板、石英基板などのセラミックス基板や、プラスチック基板が選択される。前記した高屈折率透明層２形成用の材料として挙げた材料によって作成した基板も採用できる。また、同種又は異種の基板を複数組み合わせた複合シ−トからなる基板を用いることもできる。
透明基板の厚さは適宜設定でき、一般には１ｍｍ以下程度の基板が採用される。
【００６９】
第一の有機ＥＬデバイスである有機ＥＬデバイス１１の基板１１０は、有機ＥＬデバイスがトップエミッション型である場合には透明である必要がない。この構成を採用する場合、基板１１０は、上記したような透明基板作成用の材料以外の材料も採用可能である。
次いで、有機ＥＬ素子１１１、１２１及び１３１について説明する。
【００７０】
（有機ＥＬ素子１１１、１２１、１３１）
有機ＥＬ素子１１１、１２１及び１３１は、透明電極と背面電極との間に、両電極に電圧が印加されることで発光する有機発光材料を含有する有機層が狭持された構成であり、公知の有機ＥＬ素子における公知の層構成及び公知の材料の層にすればよく、公知の製造方法によって製造できる。
【００７１】
第二の有機ＥＬデバイスである有機ＥＬ素子１２１及び１３１の背面電極は透明である必要がある。
第一の有機ＥＬデバイスである有機ＥＬ素子１１１の透明電極は、背面電極よりも光取出側（窓部１４１側）となるように設けられる必要がある。また、有機ＥＬ素子１１１の背面電極を光反射性電極とすれば、各有機ＥＬデバイスから、窓部１４１とは反対方向へ発せられた光を窓部１４１側へ進ませることが可能となる。
まず、有機層について説明する。
【００７２】
有機層は、少なくとも以下の機能を実現できればよく、積層構造とし、各層にそれぞれいずれかの機能を担わせてもよく、単層により下記機能を実現してもよい。
・電子注入機能
電極（陰極）から電子を注入される機能。電子注入性。
・正孔注入機能
電極（陽極）から正孔（正孔）を注入される機能。正孔注入性。
・キャリア輸送機能
電子及び正孔の少なくとも一方を輸送する機能。キャリア輸送性。
電子を輸送する機能は電子輸送機能（電子輸送性）と言い、正孔を輸送する機能は正孔輸送機能（正孔輸送性）と言う。
・発光機能
注入・輸送された電子及びキャリアを再結合させて励起子を発生させ（励起状態となり）、基底状態に戻る際に光を発する機能。
【００７３】
有機層の積層構造としては、例えば、陽極側から順に正孔注入輸送層、発光層、電子注入輸送層を設ける構成を採用することもできる。
【００７４】
正孔注入輸送層は、陽極から発光層へ正孔を輸送する層である。正孔輸送層形成用の材料としては、例えば、銅フタロシアニン、テトラ（ｔ−ブチル）銅フタロシアニン等の金属フタロシアニン類及び無金属フタロシアニン類、キナクリドン化合物、１、１−ビス（４−ジ−ｐ−トリルアミノフェニル）シクロヘキサン、Ｎ、Ｎ’−ジフェニル−Ｎ、Ｎ’−ビス（３−メチルフェニル）−１、１’−ビフェニル−４、４’−ジアミン、Ｎ、Ｎ’−ジ（１−ナフチル）−Ｎ、Ｎ’−ジフェニル−１、１’−ビフェニル−４、４’−ジアミン等の芳香族アミンなどの低分子材料や、ポリチオフェン、ポリアニリン等の高分子材料、ポリチオフェンオリゴマ−材料、その他既存の正孔輸送材料の中から選ぶことができる。
【００７５】
発光層は、陽極側から輸送された正孔と陰極側から輸送された電子とを再結合させて励起状態となり、励起状態から基底状態へ戻る際に光を発する層である。発光層の材料としては、蛍光材料や燐光材料を採用することができる。また、ホスト材中にド−パント（蛍光材料や燐光材料）を含有させてもよい。
【００７６】
発光層形成用の材料としては、例えば、９、１０−ジアリ−ルアントラセン誘導体、ピレン誘導体、コロネン誘導体、ペリレン誘導体、ルブレン誘導体、１、１、４、４−テトラフェニルブタジエン、トリス（８−キノリノラ−ト）アルミニウム錯体、トリス（４−メチル−８−キノリノラ−ト）アルミニウム錯体、ビス（８−キノリノラ−ト）亜鉛錯体、トリス（４−メチル−５−トリフルオロメチル−８−キノリノラ−ト）アルミニウム錯体、トリス（４−メチル−５−シアノ−８−キノリノラ−ト）アルミニウム錯体、ビス（２−メチル−５−トリフルオロメチル−８−キノリノラ−ト）［４−（４−シアノフェニル）フェノラ−ト］アルミニウム錯体、ビス（２−メチル−５−シアノ−８−キノリノラ−ト）［４−（４−シアノフェニル）フェノラ−ト］アルミニウム錯体、トリス（８−キノリノラ−ト）スカンジウム錯体、ビス〔８−（パラ−トシル）アミノキノリン〕亜鉛錯体及びカドミウム錯体、１、２、３、４−テトラフェニルシクロペンタジエン、ペンタフェニルシクロペンタジエン、ポリ−２、５−ジヘプチルオキシ−パラ−フェニレンビニレン、クマリン系蛍光体、ペリレン系蛍光体、ピラン系蛍光体、アンスロン系蛍光体、ポルフィリン系蛍光体、キナクリドン系蛍光体、Ｎ、Ｎ’−ジアルキル置換キナクリドン系蛍光体、ナフタルイミド系蛍光体、Ｎ、Ｎ’−ジアリ−ル置換ピロロピロ−ル系蛍光体等の低分子材料や、ポリフルオレン、ポリパラフェニレンビニレン、ポリチオフェン等の高分子材料、その他既存の発光材料を用いることができる。ホスト／ゲスト型の構成を採用する場合には、これらの材料の中から適宜ホスト及びゲスト（ド−パント）を選択すればよい。
【００７７】
発光層は、以上のような材料の内の一つ又は複数を用い、２次元フォトニック結晶層５に透過させる波長の光を発するように設計すればよい。
【００７８】
電子注入輸送層は、陰極（本例では背面電極４２）から発光層へ電子を輸送する層である。電子輸送層形成用の材料としては、例えば、２−（４−ビフィニルイル）−５−（４−ｔ−ブチルフェニル）−１、３、４−オキサジアゾ−ル、２、５−ビス（１−ナフチル）−１、３、４−オキサジアゾ−ル及びオキサジアゾ−ル誘導体やビス（１０−ヒドロキシベンゾ［ｈ］キノリノラ−ト）ベリリウム錯体、トリアゾ−ル化合物等が挙げられる。
【００７９】
なお、有機層には、バッファ層や正孔ブロック層、電子注入層、正孔注入層等の公知の有機エレクトロルミネッセンス層に採用されうる層を設けることも当然に可能である。これらの層も、公知の材料を用いて公知の製法によって設けることができる。例えば電子注入輸送層を、電子注入機能を担う電子注入層と電子輸送機能を担う電子輸送層とに機能分離して積層してもよい。これらの各層を構成する材料は、各層の機能に応じて、公知の材料から適宜選択すればよく、上記した電子注入輸送層形成用の材料の中から選択することもできる。
次に電極について説明する。
【００８０】
透明電極は、一方が陽極として機能し、他方が陰極として機能する。
陽極は、有機層に正孔（ホ−ル）を注入する電極である。
陽極形成用の材料は、上記した性質を陽極に付与する材料であればよく、一般には金属、合金、電気伝導性の化合物及びこれらの混合物等、公知の材料が選択される。
【００８１】
陽極形成用の材料としては、例えば以下のものを挙げることができる。
ＩＴＯ（インジウム−スズ−オキサイド）、ＩＺＯ（インジウム−亜鉛−オキサイド）、酸化スズ、酸化亜鉛、亜鉛アルミニウム酸化物、窒化チタン等の金属酸化物や金属窒化物；
金、白金、銀、銅、アルミニウム、ニッケル、コバルト、鉛、クロム、モリブデン、タングステン、タンタル、ニオブ等の金属；
これらの金属の合金やヨウ化銅の合金等、
ポリアニリン、ポリチオフェン、ポリピロ−ル、ポリフェニレンビニレン、ポリ（３−メチルチオフェン）、ポリフェニレンスルフィド等の導電性高分子
など。
これらの材料の内、金属や合金等を用いる場合には、光を透過できるようにするために十分薄く成膜する必要がある。
【００８２】
第一の有機ＥＬ素子１１１の背面電極を陽極とする場合には、前記したように好ましくは光反射性電極として構成される。この場合、以上のような材料の内、外部へ取り出す光を反射する性能を備えた材料が適宜選択され、一般には金属や合金、金属化合物が選択される。
【００８３】
陽極は、上記したような材料一種のみで形成してもよく、複数を混合して形成してもよい。また、同一組成又は異種組成の複数層からなる複層構造であってもよい。
【００８４】
陽極の膜厚は、使用する材料にもよるが、一般に５ｎｍ〜１μｍ程度、好ましくは１０ｎｍ〜１μｍ程度、さらに好ましくは１０ｎｍ〜５００ｎｍ程度、特に好ましくは１０ｎｍ〜３００ｎｍ程度、望ましくは１０ｎｍ〜２００ｎｍの範囲で選択される。
【００８５】
陽極は、上記したような材料を用いて、スパッタリング法やイオンプレ−ティング法、真空蒸着法、スピンコ−ト法、電子ビ−ム蒸着法などの公知の薄膜形成法によって形成される。
陽極のシ−ト電気抵抗は、好ましくは、数百Ω／□以下、より好ましくは、５〜５０Ω／□程度に設定される。
また、陽極の表面を、ＵＶオゾン洗浄やプラズマ洗浄してもよい。
【００８６】
陰極は、有機層に電子を注入する電極である。
陰極形成用の電極物質としては、例えば、リチウム、ナトリウム、マグネシウム、金、銀、銅、アルミニウム、インジウム、カルシウム、スズ、ルテニウム、チタニウム、マンガン、クロム、イットリウム、アルミニウム−カルシウム合金、アルミニウム−リチウム合金、アルミニウム−マグネシウム合金、マグネシウム−銀合金、マグネシウム−インジウム合金、リチウム−インジウム合金、ナトリウム−カリウム合金、マグネシウム／銅混合物、アルミニウム／酸化アルミニウム混合物などが挙げられる。また、陽極に用いられる材料として採用できる材料も使用できる。
【００８７】
なお、これらの材料の内、例えば金属や合金等を採用する場合には、陽極と同様に、光を透過できるように十分薄く成膜する必要がある。例えば、超薄膜のマグネシウム−銀合金に透明な導電性酸化物を積層化して形成された電極などが採用される。また、この陰極において、導電性酸化物をスパッタリングする際に発光層などがプラズマにより損傷するのを防ぐため、銅フタロシアニンなどを添加したバッファ層を陰極と有機層との間に設けるとよい。
有機ＥＬ素子１１１の背面電極が陰極とされる場合には、以上のような材料の内、外部へ取り出す光を反射する性能を備えた材料が好ましく選択され、一般には金属や合金、金属化合物が選択される。
【００８８】
陰極は、以上のような材料単独で形成してもよいし、複数の材料によって形成してもよい。例えば、マグネシウムに銀や銅を５％〜１０％添加させれば、陰極の酸化を防止でき、また陰極の有機層４１との接着性も高くなる。
【００８９】
また、陰極は、同一組成又は異種組成の複数層からなる複層構造であってもよい。
例えば以下のような構造にしてもよい。
・陰極の酸化を防ぐため、陰極の有機層４１と接しない部分に、耐食性のある金属からなる保護層を設ける。
この保護層形成用の材料としては例えば銀やアルミニウムなどが好ましく用いられる。
【００９０】
・陰極の仕事関数を小さくするために、陰極と有機層４１との界面部分に仕事関数の小さな酸化物やフッ化物、金属化合物等を挿入する。
例えば、陰極の材料をアルミニウムとし、界面部分にフッ化リチウムや酸化リチウムを挿入したものも用いられる。
【００９１】
陰極は、真空蒸着法、スパッタリング法、イオン化蒸着法、イオンプレ−ティング法、電子ビ−ム蒸着法などの公知の薄膜成膜法によって形成できる。
次に、有機ＥＬ素子に設けてもよいその他の層について説明する。
【００９２】
有機ＥＬ素子には、上記した以外にも、公知の有機ＥＬ素子に用いられる公知の層構成や材料を適宜採用できる。以下に、採用することが好ましい層や材料について説明する。
・絶縁層
透明電極と背面電極とが短絡しないようにするために、有機層の外周に絶縁層を設けるとよい。
絶縁層形成用の材料としては、公知の有機ＥＬ素子に採用される絶縁部形成用の材料を適宜採用することができる。形成方法も公知の形成方法を採用でき、例えばスパッタ法、電子線蒸着法、ＣＶＤ法等を採用することができる。
【００９３】
・補助電極
補助電極を設けることも当然に可能である。補助電極は、陽極及び／又は陰極に電気的に接続するように設けられ、接続する電極よりも体積抵抗率の低い材料で構成される。このような材料により補助電極を形成すれば、補助電極が設けられた電極全体の体積抵抗率を下げることが可能となり、有機層４１を構成する各点に流れる電流の大きさの最大差を、補助電極を設けない場合と比べて小さくできる。
【００９４】
補助電極形成用の材料としては、例えば、タングステン（Ｗ）、アルミニウム（Ａｌ）、銅（Ｃｕ）、銀（Ａｇ）、モリブデン（Ｍｏ）、タンタル（Ｔａ）、金（Ａｕ）、クロム（Ｃｒ）、チタン（Ｔｉ）、ネオジウム（Ｎｄ）、およびこれらの合金を挙げることができる。
また、これらの合金の具体例としては、Ｍｏ−Ｗ、Ｔａ−Ｗ、Ｔａ−Ｍｏ、Ａｌ−Ｔａ、Ａｌ−Ｔｉ、Ａｌ−Ｎｄ、Ａｌ−Ｚｒ等の合金を挙げることができる。さらに、補助配線層の構成材料としては、金属とケイ素の化合物である、ＴｉＳｉ２、ＺｒＳｉ２、ＨｆＳｉ２、ＶＳｉ２、ＮｂＳｉ２、ＴａＳｉ２、ＣｒＳｉ２、ＷＳｉ２、ＣｏＳｉ２、ＮｉＳｉ２、ＰｔＳｉ、Ｐｄ２Ｓｉなども好ましい。また、これらの金属や・ケイ素化合物をそれぞれ積層した構成であってもよい。
【００９５】
補助電極の膜厚は、一般には１００ｎｍ〜数１０μｍの範囲内の値とすることが好ましく、特に好ましくは２００ｎｍ〜５μｍの範囲内の値とすることである。
この理由は、かかる膜厚が１００ｎｍ未満となると、抵抗値が大きくなり、補助電極として好ましくなく、一方、かかる膜厚が数１０μｍを超えると平坦化しにくくなり、有機ＥＬ素子４の欠陥が生じるおそれがあるためである。
【００９６】
補助電極の幅は、例えば、２μｍ〜１、０００μｍの範囲内の値とすることが好ましく、５μｍ〜３００μｍの範囲内の値とすることがより好ましい。
この理由は、かかる幅が２μｍ未満となると、補助電極の抵抗が大きくなる場合があるであり、一方、かかる幅が１００μｍを超えると、外部への光の取り出しを妨害する場合があるためである。
【００９７】
・封止部材
各有機ＥＬデバイスは、前記したような封止部材によって封止してもよい。
【００９８】
・上記した層間に設ける層
層同士の密着性を向上させたり、電子注入性又は正孔注入性を向上させたりするための層を設けてもよい。
例えば、陰極を形成する材料と電子注入輸送層を形成する材料とを共蒸着させた陰極界面層（混合電極）を両者の間に設けてもよい。これにより、発光層と陰極との間に存在する電子注入のエネルギー障壁を緩和できる。また、陰極と電子注入輸送層との密着性を向上させることもできる。
陰極界面層形成用の材料は、陰極界面層に以上の性能を付与する材料であれば特に制限なく採用でき、公知の材料も用いることができる。例えば、フッ化リチウム、酸化リチウム、フッ化マグネシウム、フッ化カルシウム、フッ化ストロンチウム、フッ化バリウム等のアルカリ金属、アルカリ土類金属のフッ化物、酸化物、塩化物、硫化物等を用いることができる。陰極界面層は、単独の材料で形成してもよいし、複数の材料によって形成してもよい。
膜厚は０．１ｎｍ〜１０ｎｍ程度であり、好ましくは０．３ｎｍ〜３ｎｍである。
陰極界面層は陰極界面層内で膜厚を均一に形成してもよいし、不均一に形成してもよく、島状に形成してもよく、真空蒸着法などの公知の薄膜成膜法によって形成することができる。
【００９９】
上記したような各層間の少なくとも一つに、正孔や電子、励起子等の移動を阻止する層（ブロック層）を設けても良い。例えば、発光層の陰極側に隣接して、正孔が発光層を通過することを抑え、発光層内で電子と効率よく再結合させる目的で、ホール・ブロック層を設けても良い。ホール・ブロック層形成用の材料としては、例えば、トリアゾール誘導体やオキサジアゾール誘導体、ＢＡｌｑ、フェナントロリン誘導体などの既知の材料を挙げることができるが、特にこれに限定されることはない。
【０１００】
上記したような各層間の少なくとも一つに、正孔や電子の注入障壁を緩和する層（バッファ層）を設けても良い。例えば、陽極とホール注入輸送層輸送層、又は陽極に隣接して積層される有機層の間に、ホール注入に対する注入障壁を緩和する目的でバッファ層を挿入してもよい。このバッファ層形成用の材料としては、例えば銅フタロシアニンなどの既知の材料が用いられるが、特にこれに限定されることはない。
【０１０１】
・正孔注入輸送層、電子注入輸送層へのドーピング
正孔注入輸送層や電子注入輸送層に、蛍光材料又は燐光材料などの有機発光材料（ドーパント）をドープし、これらの層でも光を発するようにしてもよい。
【０１０２】
・陰極に隣接する層へのアルカリ金属やアルカリ金属化合物のドーピング
陰極にアルミニウムなどの金属を用いる場合に、陰極と発光層との間のエネルギー障壁を緩和するために、陰極に隣接する層へアルカリ金属やアルカリ金属化合物をドーピングしてもよい。添加した金属や金属化合物により有機層が還元されてアニオンが生成するため、電子注入性が高まり、印加電圧が低くなる。アルカリ金属化合物としては、例えば酸化物、フッ化物、リチウムキレートなどが挙げられる。
次に、本実施の形態に係る第二の照明装置２０について説明する。
【０１０３】
《第二の照明装置２０》
第二の照明装置２０は、光取出側に設けられた有機ＥＬデバイスほど、透明基板の面積が広くなるようにされている点以外は、第一の照明装置と同様に構成でき、また、同様に変形することができる。
【０１０４】
例えば、図５に示すように、透明基板１２０は透明基板１１０よりも面積が広く、透明基板１３０は透明基板１２０よりも面積が広く設計される。つまり、光取出側に存する有機ＥＬデバイスの透明基板ほど面積が広く設計されている。
【０１０５】
このような構成を採用すれば、各基板の法線Ｈ方向を基準にして斜め方向へ進む光も照明装置２０外部へ出射することが可能となる。
【０１０６】
なお、図６に示すように、第二の照明装置２０の筐体１４は、基板の大きさに合わせて窓部１４１に近づくほどその位置における大きさが大きくなるようにしてもよい。この際に、筐体１４の内面に沿って前記したような光反射手段を設ければ、各有機ＥＬデバイスから窓部１４１方向へ出射されなかった光の一部又は全部も、窓部方向へ進む光へその進路を変更することが可能となり、照明装置１０から外部へ出射される光の量を多くすることが可能となる。
次に、本実施の形態に係る第三の照明装置３０について説明する。
【０１０７】
《第三の照明装置３０》
第三の照明装置３０は、光取出側に設けられた有機ＥＬデバイスほど、有機ＥＬ素子の面積が広くなるようにされている点以外は、第一の照明装置と同様に構成でき、また、同様に変形することができる。
【０１０８】
例えば、図７に示すように、有機ＥＬデバイス１２の有機ＥＬ素子１２１の面積は有機ＥＬデバイス１１の有機ＥＬ素子１１１の面積よりも広く、有機ＥＬデバイス１３の有機ＥＬ素子１３１の面積は有機ＥＬデバイス１２の有機ＥＬ素子１２１の面積よりも広くなるように設計されている。つまり、光取出側に存する有機ＥＬデバイスの有機ＥＬ素子ほどその面積が広くなるように設計されている。
【０１０９】
このような構成を採用すれば、各基板の法線Ｈ方向を基準にして斜め方向へ進む光も照明装置外部へ出射することが可能となる。
【０１１０】
また、第二の照明装置２０と同様に、光取出側に設けられた有機ＥＬデバイスほど、有機ＥＬ素子の面積が広くなるように設計してもよい。
【０１１１】
例えば、図８に示すように、光取出側の有機ＥＬデバイスほど、有機ＥＬ素子の面積及び基板の面積が大きくなるように設計し、好ましくは筐体１４を基板の大きさに合わせて窓部１４１に近い位置ほどその内部の広さを広くし、かつ、筐体１４の内面に沿って光反射手段を設けることが好ましい。このように構成すれば、各有機ＥＬデバイスから窓部１４１方向へ出射されなかった光の一部又は全部も、窓部方向へ進む光へその進路を変更することが可能となり、照明装置１０から外部へ出射される光の量を多くすることが可能となる。
【図面の簡単な説明】
【０１１２】
【図１】本実施の形態に係る第一の照明装置１０の断面構成を説明するための断面模式図である。
【図２】第一の照明装置１０の別の構成例を説明するための断面模式図である。
【図３】第一の照明装置１０のさらに別の構成例を説明するための断面模式図である。
【図４】第一の照明装置１０の他の構成例を説明するための断面模式図である。
【図５】本実施の形態に係る第二の照明装置２０の断面構成を説明するための断面模式図である。
【図６】第二の照明装置２０の別の構成例を説明するための断面模式図である。
【図７】本実施の形態に係る第三の照明装置３０の断面構成を説明するための断面模式図である。
【図８】第三の照明装置３０の別の構成例を説明するための断面模式図である。
【符号の説明】
【０１１３】
１０：第一の照明装置、１１：有機ＥＬデバイス（第一の有機ＥＬデバイス）、１１０基板、１１１：有機ＥＬ素子（第一の有機ＥＬ素子）１２：有機ＥＬデバイス（第二の有機ＥＬデバイス）、１２０：透明基板、１２１：有機ＥＬ素子（第二の有機ＥＬ素子）、１３：有機ＥＬデバイス（最も光取出側に存在する第二の有機ＥＬデバイス）、１３０：透明基板、１３１：有機ＥＬ素子（第二の有機ＥＬ素子）、２０：第二の照明装置、３０：第三の照明装置
【図１】
2005190768.tif 000003
【図２】
2005190768.tif 000004
【図３】
2005190768.tif 000005
【図４】
2005190768.tif 000006
【図５】
2005190768.tif 000007
【図６】
2005190768.tif 000008
【図７】
2005190768.tif 000009
【図８】
2005190768.tif 000010